(57)【要約】【課題】汎用的に具備されているマウスとインターフェースを用いて、マウスの移動の操作量を軽減する。【解決手段】通常は表示装置１の画面上の１個のポインタを、マウス３のホイールボタンを押すことにより、表示装置１の画面上のポインタを２個に変化させる。ポインタ間の距離は、ホイールボタンの手前もしくは奥への回転量に比例して広げたり、狭めたりすることができる。２個に変化したポインタは、マウス３の左ボタンもしくは右ボタンを押すことにより一つが選択され、アクティブ状態とされる。アクティブ状態とされたポインタは、マウス３により操作が可能となる。これらの制御は、制御装置２内に搭載されたマウス制御部２１により行われる。【選択図】  図１
2004318462.tif 000002
【特許請求の範囲】
【請求項１】
表示装置の画面上のポインタをマウスにより操作し、該ポインタの操作結果により電子機器を制御するためのマウス入力方法であって、
マウスのホイールボタンの操作により画面上のポインタを２個もしくは４個に変化させるポインタ数変化手順と、
該変化したポインタを該マウスの左ボタンもしくは右ボタンもしくはホイールボタンの操作により選択するポインタ選択手順と、
該選択されたポインタを該マウスにより操作するポインタ操作手順と、を有する
ことを特徴とするマウス入力方法。
【請求項２】
請求項１に記載のマウス入力方法において、
ポインタ数変化手順では、
マウスのホイールボタンの押下毎にポインタの個数を巡回して変化させるとともに、該ホイールボタンの手前もしくは奥への回転により該ポインタ間の距離を拡縮する
ことを特徴とするマウス入力方法。
【請求項３】
請求項１または２に記載のマウス入力方法において、
ポインタ選択手順では、
マウスの左ボタンもしくは右ボタンの操作によりポインタの一つを選択し、該マウスのホイールボタンの押下により選択状態のポインタを非選択状態として新たな選択を可能とし、ポインタが４個の場合には該ホイールボタンの押下毎に左右いずれかのポインタと上下いずれかのポインタを交互に選択可能とする
ことを特徴とするマウス入力方法。
【請求項４】
請求項１ないし３のいずれかに記載のマウス入力方法において、
ポインタ操作手順では、
表示装置の画面上に複数の制御ウィンドウがある場合には操作対象となった制御ウィンドウの側にあるポインタを自動的に選択して該ウィンドウの操作を可能とする
ことを特徴とするマウス入力方法。
【請求項５】
表示装置の画面上のポインタをマウスにより操作し、該ポインタの操作結果により電子機器を制御するためのマウス入力方法であって、
マウスのホイールボタンの操作により画面上のポインタを２個もしくは４個に変化させるポインタ数変化手順と、
該マウスの操作により全てのポインタを同時に操作するポインタ操作手順と、を有する
ことを特徴とするマウス入力方法。
【請求項６】
表示装置の画面上のポインタをマウスにより操作し、該ポインタの操作結果により電子機器を制御するためのマウス入力装置であって、
マウスのホイールボタンの操作により画面上のポインタを２個もしくは４個に変化させるポインタ数変化手段と、
該変化したポインタを該マウスの左ボタンもしくは右ボタンもしくはホイールボタンの操作により選択するポインタ選択手段と、
該選択されたポインタを該マウスにより操作するポインタ操作手段と、を有する
ことを特徴とするマウス入力装置。
【請求項７】
請求項６に記載のマウス入力装置において、
ポインタ数変化手段は、
マウスのホイールボタンの押下毎にポインタの個数を巡回して変化させるとともに、該ホイールボタンの手前もしくは奥への回転により該ポインタ間の距離を拡縮するものである
ことを特徴とするマウス入力装置。
【請求項８】
請求項６または７に記載のマウス入力装置において、
ポインタ選択手段は、
マウスの左ボタンもしくは右ボタンの操作によりポインタの一つを選択し、該マウスのホイールボタンの押下により選択状態のポインタを非選択状態として新たな選択を可能とし、ポインタが４個の場合には該ホイールボタンの押下毎に左右いずれかのポインタと上下いずれかのポインタを交互に選択可能とするものである
ことを特徴とするマウス入力装置。
【請求項９】
請求項６ないし８のいずれかに記載のマウス入力装置において、
ポインタ操作手段は、
表示装置の画面上に複数の制御ウィンドウがある場合には操作対象となった制御ウィンドウの側にあるポインタを自動的に選択して該ウィンドウの操作を可能とするものである
ことを特徴とするマウス入力装置。
【請求項１０】
表示装置の画面上のポインタをマウスにより操作し、該ポインタの操作結果により電子機器を制御するためのマウス入力装置であって、
マウスのホイールボタンの操作により画面上のポインタを２個もしくは４個に変化させるポインタ数変化手段と、
該マウスの操作により全てのポインタを同時に操作するポインタ操作手段と、
を有する
ことを特徴とするマウス入力装置。
【請求項１１】
請求項１ないし５のいずれかに記載のマウス入力方法における手順を、コンピュータに実行させるためのプログラムとした
ことを特徴とするマウス入力プログラム。
【請求項１２】
請求項１ないし５のいずれかに記載のマウス入力方法における手順を、コンピュータに実行させるためのプログラムとし、
該プログラムを、該コンピュータが読み取りできる記録媒体に記録した
ことを特徴とするマウス入力プログラムを記録した記録媒体。
【発明の詳細な説明】
【０００１】
【発明の属する技術分野】
本発明は、電子機器の画面を制御するための技術に関する。
【０００２】
【従来の技術】
従来、コンピュータなどの電子機器では、一般的にマウスにより制御を行う。マウスは、その動作により表示装置画面上のポインタを操作することにより制御を行う。マウスは、右ボタン、左ボタン、中央のホイールボタンと、上下左右の動作を取得するセンサ部分とから構成されている。
【０００３】
表示装置画面上のポインタは通常は１つであり、マウスの動作に比例して画面上のポインタが移動する。ポインタの指し示した画面上のオブジェクトをボタンによって制御することにより、電子機器に動作の指令を伝える。
【０００４】
これに対して、特許文献１の複数マウスカーソル制御装置では、複数のポインタを制御しているが、専用のポインタ増加用のボタンとポインタ減少用のボタンおよび複数のポインタの切り替えボタンをマウスに具備し、この特殊なマウスと電子機器間のインターフェースも独自に追加を行っている。
【０００５】
【特許文献１】
特開平１１−３１２０５２号公報「複数マウスカーソル制御装置」
【０００６】
【特許文献２】
特開２００１−２４９７５２号公報「マウスポインタ制御方法および装置」
【０００７】
【発明が解決しようとする課題】
しかしながら、従来のマウスとポインタの操作では、画面上の離れた場所のオブジェクトを操作するには、大きくマウスを移動させる操作が必要であると言う問題がある。また、特許文献１による従来の技術では、専用のポインタ増加用のボタンとポインタ減少用のボタンおよび複数のポインタの切り替えボタンをマウスに具備し、この特殊なマウスと電子機器間のインターフェースも独自に追加を行うことが必要であるという問題がある。
【０００８】
そこで、本発明では、汎用的に具備されているマウスとインターフェースを用いて、マウスの移動の操作量を軽減することを目的とする。
【０００９】
【課題を解決するための手段】
上記目的を達成するため、本発明は、表示装置の画面上のポインタをマウスにより操作し、該ポインタの操作結果により電子機器を制御するためのマウス入力方法であって、マウスのホイールボタンの操作により画面上のポインタを２個もしくは４個に変化させるポインタ数変化手順と、該変化したポインタを該マウスの左ボタンもしくは右ボタンもしくはホイールボタンの操作により選択するポインタ選択手順と、該選択されたポインタを該マウスにより操作するポインタ操作手順と、を有することを特徴とするマウス入力方法を、その手段とする。
【００１０】
あるいは、上記のマウス入力方法において、ポインタ数変化手順では、マウスのホイールボタンの押下毎にポインタの個数を巡回して変化させるとともに、該ホイールボタンの手前もしくは奥への回転により該ポインタ間の距離を拡縮することを特徴とするマウス入力方法を、その手段とする。
【００１１】
あるいは、上記のマウス入力方法において、ポインタ選択手順では、マウスの左ボタンもしくは右ボタンの操作によりポインタの一つを選択し、該マウスのホイールボタンの押下により選択状態のポインタを非選択状態として新たな選択を可能とし、ポインタが４個の場合には該ホイールボタンの押下毎に左右いずれかのポインタと上下いずれかのポインタを交互に選択可能とすることを特徴とするマウス入力方法を、その手段とする。
【００１２】
あるいは、上記のマウス入力方法において、ポインタ操作手順では、表示装置の画面上に複数の制御ウィンドウがある場合には操作対象となった制御ウィンドウの側にあるポインタを自動的に選択して該ウィンドウの操作を可能とすることを特徴とするマウス入力方法を、その手段とする。
【００１３】
あるいは、表示装置の画面上のポインタをマウスにより操作し、該ポインタの操作結果により電子機器を制御するためのマウス入力方法であって、マウスのホイールボタンの操作により画面上のポインタを２個もしくは４個に変化させるポインタ数変化手順と、該マウスの操作により全てのポインタを同時に操作するポインタ操作手順と、を有することを特徴とするマウス入力方法を、その手段とする。
【００１４】
あるいは、表示装置の画面上のポインタをマウスにより操作し、該ポインタの操作結果により電子機器を制御するためのマウス入力装置であって、マウスのホイールボタンの操作により画面上のポインタを２個もしくは４個に変化させるポインタ数変化手段と、該変化したポインタを該マウスの左ボタンもしくは右ボタンもしくはホイールボタンの操作により選択するポインタ選択手段と、該選択されたポインタを該マウスにより操作するポインタ操作手段と、を有することを特徴とするマウス入力装置を、その手段とする。
【００１５】
あるいは、上記のマウス入力装置において、ポインタ数変化手段は、マウスのホイールボタンの押下毎にポインタの個数を巡回して変化させるとともに、該ホイールボタンの手前もしくは奥への回転により該ポインタ間の距離を拡縮するものであることを特徴とするマウス入力装置を、その手段とする。
【００１６】
あるいは、上記のマウス入力装置において、ポインタ選択手段は、マウスの左ボタンもしくは右ボタンの操作によりポインタの一つを選択し、該マウスのホイールボタンの押下により選択状態のポインタを非選択状態として新たな選択を可能とし、ポインタが４個の場合には該ホイールボタンの押下毎に左右いずれかのポインタと上下いずれかのポインタを交互に選択可能とするものであることを特徴とするマウス入力装置を、その手段とする。
【００１７】
あるいは、上記のマウス入力装置において、ポインタ操作手段は、表示装置の画面上に複数の制御ウィンドウがある場合には操作対象となった制御ウィンドウの側にあるポインタを自動的に選択して該ウィンドウの操作を可能とすることを特徴とするマウス入力装置を、その手段とする。
【００１８】
あるいは、表示装置の画面上のポインタをマウスにより操作し、該ポインタの操作結果により電子機器を制御するためのマウス入力装置であって、マウスのホイールボタンの操作により画面上のポインタを２個もしくは４個に変化させるポインタ数変化手段と、該マウスの操作により全てのポインタを同時に操作するポインタ操作手段と、を有することを特徴とするマウス入力装置を、その手段とする。
【００１９】
あるいは、上記のマウス入力方法における手順を、コンピュータに実行させるためのプログラムとしたことを特徴とするマウス入力プログラムを、その手段とする。
【００２０】
あるいは、上記のマウス入力方法における手順を、コンピュータに実行させるためのプログラムとし、該プログラムを、該コンピュータが読み取りできる記録媒体に記録したことを特徴とするマウス入力プログラムを記録した記録媒体を、その手段とする。
【００２１】
本発明は、汎用的に具備されているマウスのボタンとインターフェースにより、複数のポインタを制御してマウスの移動の操作量を軽減している点が、専用のポインタ増加用のボタンとポインタ減少用のボタンおよび複数のポインタの切り替えボタンをマウスに具備し、この特殊なマウスと電子機器間のインターフェースを独自に追加して複数のポインタを制御している特許文献１による従来の技術とは異なっている。
【００２２】
【発明の実施の形態】
以下、本発明の実施の形態について図を用いて詳細に説明する。
【００２３】
始めに、本発明の原理について説明する。図１に、本発明の原理を説明するための全体構成図を示す。
【００２４】
本発明では、通常の操作時には１個であるポインタを２個または４個に分割して操作することにより、マウスの移動操作量を２分の１以下にすることを可能とする。２個に分割した場合には、水平方向もしくは垂直方向のいずれかのマウスの移動操作量を軽減する。４個に分割した場合には、水平方向及び垂直方向のどちらの移動操作量も軽減する。
【００２５】
全体構成は、一般的な電子装置と同様に、表示装置１、制御装置２、右ボタンと左ボタンとホイールボタンを有するマウスと呼ばれる操作装置３から構成される。ホイールボタンは、ボタン自身を押し込むことによるクリック操作と、ホイールボタンを回転操作することによる、移動量の入力が可能となっている。制御装置２内には、マウス３の動作を受け取り、表示装置１に反映する手順を実行する手段を有するマウス制御部２１が搭載されている。この手順として、ポインタの個数を変化させる手順と、そのポインタを選択する手順と、選択されたポインタを操作する手順とを有している。これらの手順を実行する手段として、例えばソフトウェアプログラムが搭載される。マウス制御部２１とマウス３とは、従来互換のインターフェースを有している。
【００２６】
まず、ポインタの個数を変化させる手順について説明する。通常時には、表示画面上のポインタは１個であり、マウスの移動動作と左右ボタンにて電子装置の操作が行うことができる。ここで、ホイールボタンを押すと、直前のポインタが指し示していた表示位置に２個のポインタが表示される。２個のポインタはそれぞれ形が異なっており、直前のポインタの指示位置を共に指し示す。ここで、ホイールボタンを例えば手前に回転させれば、２個のポインタの表示位置の水平間隔を広げることができる。間隔はホイールボタンの回転量に比例し、垂直方向の表示位置は変化しない。右側に表示されているポインタは、ホイールボタンの回転量に比例して右に移動し、左側に表示されているポインタは、ホイールボタンの回転量に比例して左に移動する。ホイールボタンを例えば奥に回転させれば、ポインタの表示位置の水平間隔を狭めることができる。
【００２７】
ポインタ数の変化については、１個から２個だけに変化させることも、１個から４個だけに変化させることも可能であり、さらには、ホイールボタンを押す毎に１個から２個、２個から４個、４個から再び１個へと巡回させて変化させることも可能である。
【００２８】
次に、ポインタを選択する手順について説明する。ポインタ数が２個の場合では、上述の操作を行った後、マウスの右のボタンを押すことにより、右のポインタが選択される。この操作により、右のポインタは輪郭線が太くなり制御中であることを示す。左のポインタはポインタの色が無くなり、背景の映像を透過する。この選択状態の右ポインタの状態をアクティブ状態と呼び、非選択状態の左ポインタの状態を非アクティブ状態と呼ぶ。同様に、上述の操作を行った後、左のボタンを押すことにより、左のポインタが選択される。左のポインタは輪郭線が太くなり制御中であることを示す。右のポインタはポインタの色が無くなり、背景の映像を透過する。この状態の選択状態の左ポインタの状態をアクティブ状態と呼び、非選択状態の右ポインタの状態を非アクティブ状態と呼ぶ。
【００２９】
ここで、ホイールボタンを押すことにより、アクティブ状態で制御されていたポインタの指す場所で、通常状態の１個のポインタとすることができる。あるいは、ポインタは２個のままで、各ポインタを非アクティブ状態として、左右いずれかのボタンにより、新たにアクティブ状態となるポインタを選択可能にすることもできる。また、各ポインタが非アクティブ状態からホイールボタンを押すことにより、表示されるポインタの数を４個とし、ホイールボタンの回転により、垂直、水平方向の両方の移動量を制御することも同様に可能である。
【００３０】
ポインタ数が４個の場合では、上述のポインタ数を変化させる手順での操作を行った後、マウス３の左右いずれかのボタンを押すことにより、各ボタンに対応する左右いずれかのポインタもしくは上下いずれかのポインタを選択してアクティブ状態とすることができる。ここで、左右いずれかのポインタがアクティブ状態のときに上下いずれかのポインタを選択してアクティブ状態にしたい場合、もしくは上下いずれかのポインタがアクティブ状態のときに左右いずれかのポインタを選択してアクティブ状態にしたい場合には、ホイールボタンを押して全てのポインタを非アクティブ状態に戻した後に、左右いずれかのボタンを押して選択を行うことができる。このように、アクティブ状態でホイールボタンを押す毎に、左右いずれかのポインタと上下いずれかのポインタを交互に選択可能とする。
【００３１】
ポインタを操作する手順では、アクティブ状態のポインタがマウスの操作により制御される。右ボタン・左ボタンのクリック、ダブルクリック、ドラッグ、マウスの移動によるポインタの移動の一般的な操作が可能となる。非アクティブ状態のポインタは停止した状態で保持される。
【００３２】
次に、複数のウィンドウを本発明で操作し電子装置に入力する方法を示す。２枚のウィンドウを操作する場合に、２個のポインタのアクティブ、非アクティブを切り替えることにより、マウスの操作量を減らすことができる。
【００３３】
表示装置１上には左右２枚のウィンドウが表示され、上記操作により２個のポインタが表示されている状態になっているとした場合に、ポインタを操作する手順では、右側のウィンドウの操作を右側に位置するアクティブ状態のポインタで操作する。この際、新しい情報を表示するための操作を行った場合に、左側のウィンドウに表示が行なわれ、左側のウィンドウを操作対象にしたとすると、左側に位置する非アクティブ状態のポインタを自動的にアクティブ状態として操作を可能とする。
【００３４】
このように、２枚のウィンドウを操作する場合に、２個のポインタの内、操作対象となっているウィンドウの側（当該ウィンドウ内もしくは当該ウィンドウに最も近い位置）にあるポインタをアクティブ状態に、逆側を非アクティブ状態に、自動的に切り替えることにより、マウスの操作量を減らす。
【００３５】
同様に、４枚のウィンドウを操作する場合には、４個のポインタを操作対象のウィンドウが変化する順にアクティブ状態に切り替える。
【００３６】
次に、複数個のポインタを同時に操作し電子装置に入力する方法について述べる。上記のマウス３の操作により、２つのポインタを表示する。また、ポインタの水平方向の距離を制御する。この状態でマウスを移動させることにより、２つのポインタに同一の動きを与えることが可能となる。
【００３７】
この状態で、ホイールボタンを押すことにより、２つのポインタ間に直線等の線分を引くことができる。また、マウス３を動作して同様にホイールボタンを押すことにより、複数の同一の長さの直線等を引くこともできる。ここで、先にホイールボタンを回転すれば、複数の異なる長さの直線等を引くこともできる。さらに、本操作により、２つのポインタ間の画面上のオブジェクトを選択することなどといった、応用も可能である。
【００３８】
ポインタが４個の場合でも同様に、４つのポインタ間に十字の線分を引いたり、４つのポインタを通る四角形や円などを描いたり、４つのポインタ間の画面上のオブジェクトを選択したりすることなどといった、応用が可能である。
【００３９】
この発明では、ポインタを２個もしくは４個に表示し操作することにより、マウスの移動の操作量を軽減することが可能となる。また、複数のウィンドウの操作を行う場合のマウスの移動の操作量を軽減することが可能となる。
【００４０】
以下、具体的な本発明の実施の形態について説明する。
【００４１】
まず、本発明の第１の実施形態例を図２および図３に示す。
１．利用者が、表示装置１、制御装置２、マウス３から構成される装置を利用する。
２．通常状態では、表示画面上にはポインタは１個である。
３．利用者は、マウス３のホイールボタンを押す。
４．直前のポインタが指し示していた表示位置に２個のポインタが表示される。左側のポインタは右上向き、右側のポインタは左上向きとなっており、直前のポインタの指示位置を共に指し示す。
５．利用者がホイールボタンを手前に回転させることにより、２個のポインタの表示位置の水平間隔を広げることができる。間隔はホイールボタンの回転量に比例し、垂直方向の表示位置は変化しない。右側に表示されているポインタは、ホイールボタンの回転量に比例して右に移動し、左側に表示されているポインタは、ホイールボタンの回転量に比例して左に移動する。
６．ホイールボタンを奥に回転させることにより、ポインタの表示位置の水平間隔を狭めることができる。
７．ここで、利用者がマウスの右のボタンを押すことにより、右のポインタが選択される。この操作により、右のポインタは輪郭線が太くなり制御中であることを示す。左のポインタはポインタの色が無くなり、背景の映像を透過する。この状態の選択状態の右ポインタの状態をアクティブ状態と呼び、非選択状態の左ポインタの状態を非アクティブ状態と呼ぶ。
８．同様に、利用者が左のボタンを押すことにより、左のポインタが選択される。左のポインタは輪郭線が太くなり制御中であることを示す。右のポインタはポインタの色が無くなり、背景の映像を透過する。この状態の選択状態の左ポインタの状態をアクティブ状態と呼び、非選択状態の右ポインタの状態を非アクティブ状態と呼ぶ。
９．利用者はアクティブ状態のポインタをマウスの操作により制御できる。右ボタン・左ボタンのクリック、ダブルクリック、ドラッグ、マウスの移動によるポインタの移動の一般的な操作が可能となる。非アクティブ状態のポインタは停止した状態で保持される。
１０．ここで、利用者がホイールボタンを押すことにより、アクティブ状態で制御されていたポインタの指す場所で、通常状態のポインタになる。
【００４２】
次に、本発明の第２の実施形態例を図４に示す。
１．利用者が実施形態例１と同一に構成されている装置を利用する。
２．２枚のウィンドウを交互に操作し、進めていく処理を考える。
３．１枚目のウィンドウを表示装置の右側半分に表示する。
４．その際、右側のポインタをアクティブ状態にし、左側のポインタを非アクティブ状態にする。
５．利用者は右側のポインタを操作して、右側のウィンドウに対して処理をする。
６．次のウィンドウを開く処理が行われた際には、２枚目のウィンドウは表示装置の左側半分に表示する。
７．その際、左側のポインタをアクティブ状態にし、右側のポインタを非アクティブ状態にする。
８．利用者は左側のポインタを操作して、左側のウィンドウに対して処理をする。
９．次のウィンドウを開く処理では、新規ウィンドウは右側半分に表示し、上記４から繰り返す。
【００４３】
次に、本発明の第３の実施形態例を図５に示す。
１．利用者が実施形態例１と同一に構成されている装置を利用する。
２．上記操作により、ポインタを２つにする。
３．ホイールボタンを前後（手前、奥）に回すことにより、２つのポインタ間の広さが拡縮する。
４．利用者はホイールボタンを回すことにより、ポインタ間を望む広さに設定する。
５．利用者はマウスを動かすことにより、表示装置内で任意の場所に２つのポインタを操作できる。
６．２つのポインタの相対位置はマウスの動作によっては変化しない。
７．ホイールボタンを押すことにより、２つのポインタ間に直線を引くことができる。
【００４４】
なお、図１で説明した電子装置におけるマウス制御部の一部もしくは全部の機能をコンピュータのプログラムで構成し、そのプログラムをコンピュータを用いて実行して本発明を実現することができること、あるいは、図１〜図４などを用いて説明したマウス制御部での処理の手順をコンピュータのプログラムで構成し、そのプログラムをコンピュータに実行させることができることは言うまでもなく、コンピュータでその機能を実現するためのプログラム、あるいは、コンピュータにその処理の手順を実行させるためのプログラムを、そのコンピュータが読み取り可能な記録媒体、例えば、フレキシブルディスクや、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークにより提供されたプログラムをコンピュータにインストールすることで、本発明が実施可能となる。
【００４５】
【発明の効果】
以上、この発明を用いれば、汎用的に具備されているマウスのボタンとインターフェースにより、マウスの移動の操作量を軽減することが可能となる。
【図面の簡単な説明】
【図１】（ａ），（ｂ）は、本発明を説明するための全体構成図である。
【図２】本発明の第１の実施形態例を説明する図（その１）である。
【図３】本発明の第１の実施形態例を説明する図（その２）である。
【図４】本発明の第２の実施形態例を説明する図である。
【図５】本発明の第３の実施形態例を説明する図である。
【符号の説明】
１…表示装置
２…制御装置
２１…マウス制御部
３…マウス（操作装置）
【図１】
2004318462.tif 000003
【図２】
2004318462.tif 000004
【図３】
2004318462.tif 000005
【図４】
2004318462.tif 000006
【図５】
2004318462.tif 000007